(57)【要約】【課題】負荷が動作試験により受ける影響を低減すること。【解決手段】開閉器２は、引き外し部２４と、処理部２２と、を備える。引き外し部２４は、電源と負荷とを繋ぐ電路Ｌ１に電気的に接続される接点Ｃ１を閉状態から開状態へ機械的に移行させる引き外し動作を行う。処理部２２は、引き外し動作を含む電路Ｌ１を遮断する遮断動作を行うトリガを受け付けると、動作試験を実行する。動作試験は、引き外し動作を除いた遮断動作の少なくとも一部の動作を試験する。【選択図】図１
2020057535.tif 000002
【特許請求の範囲】
【請求項１】
電源と負荷とを繋ぐ電路に電気的に接続される接点を閉状態から開状態へ機械的に移行させる引き外し動作を行う引き外し部と、
前記引き外し動作を含む前記電路を遮断する遮断動作を行うトリガを受け付けると、前記引き外し動作を除いた前記遮断動作の少なくとも一部の動作を試験する動作試験を実行する処理部と、を備える、
開閉器。
【請求項２】
前記処理部に制御されることで、前記引き外し部を駆動する駆動回路をさらに備え、
前記処理部は、前記駆動回路を動作させる処理をさらに除いて前記動作試験を実行する、
請求項１記載の開閉器。
【請求項３】
前記電路の状態に応じて変化する状態信号を、前記処理部で処理可能な信号に変換して前記処理部へ出力する伝達回路をさらに備え、
前記処理部は、前記動作試験において、前記伝達回路の出力を監視する、
請求項１又は２に記載の開閉器。
【請求項４】
前記電路の状態を監視するセンサをさらに備え、
前記処理部は、前記動作試験において、前記センサの出力を監視する、
請求項１〜３のいずれか１項に記載の開閉器。
【請求項５】
前記処理部での前記動作試験の結果を通知する通知部をさらに備える、
請求項１〜４のいずれか１項に記載の開閉器。
【請求項６】
前記処理部は、前記トリガとしてのイベントの発生を受け付けると、前記遮断動作を行わせる状態を擬似的に発生させるための擬似信号を出力することにより、前記動作試験を実行する、
請求項１〜５のいずれか１項に記載の開閉器。
【請求項７】
前記イベントは、前記開閉器とは異なる外部システムから送信される、前記動作試験の実行指令を含む試験信号を受信することを含む、
請求項６記載の開閉器。
【請求項８】
前記処理部は、タイマーを有しており、
前記イベントは、前記タイマーが所定の時刻を計時することを含む、
請求項６又は７に記載の開閉器。
【請求項９】
前記イベントは、前記電路に電気的に接続される負荷の状態に基づいている、
請求項６〜８のいずれか１項に記載の開閉器。
【請求項１０】
前記イベントは、前記電路に電気的に接続される１以上の所定の負荷が使用状態から不使用状態に移行することである、
請求項９記載の開閉器。
【請求項１１】
前記イベントは、前記電路に電気的に接続される電源の状態に基づいている、
請求項６〜１０のいずれか１項に記載の開閉器。
【請求項１２】
前記イベントは、前記開閉器が設置される施設の状態、又は前記施設に属する人の状態に基づいている、
請求項６〜１１のいずれか１項に記載の開閉器。
【請求項１３】
前記処理部は、前記電源と前記負荷との間を、前記接点を介さないバイパス経路で繋いだ状態で、前記動作試験を実行する、
請求項１〜１２のいずれか１項に記載の開閉器。
【請求項１４】
前記電路及び前記バイパス経路は、同一の電源に電気的に接続されている、
請求項１３記載の開閉器。
【請求項１５】
前記バイパス経路は、前記電源を第１電源として、前記第１電源とは異なる第２電源に電気的に接続されている、
請求項１３記載の開閉器。
【請求項１６】
前記処理部は、所定の条件を満たすと、前記電路を前記バイパス経路に切り替えて、前記動作試験を実行する、
請求項１３〜１５のいずれか１項に記載の開閉器。
【請求項１７】
電源と負荷とを繋ぐ電路に電気的に接続される接点を閉状態から開状態へ機械的に移行させる引き外し動作を行う引き外し部、を備えた開閉器の試験方法であって、
前記引き外し動作を含む前記電路を遮断する遮断動作を行うトリガを受け付けると、前記引き外し動作を除いた前記遮断動作の少なくとも一部の動作を試験する、
開閉器の試験方法。
【発明の詳細な説明】
【技術分野】
【０００１】
本開示は、一般に開閉器、及び開閉器の試験方法に関する。より詳細には、本開示は、電源と負荷とを繋ぐ電路を遮断する開閉器、及び開閉器の試験方法に関する。
【背景技術】
【０００２】
特許文献１には、漏電遮断器が開示されている。この漏電遮断器は、漏電検出対象の交流電路を１次巻線とする零相変流器と、この零相変流器の二次出力に基づいて交流電路の漏電の有無を判定する漏電検出部と、を備えている。また、この漏電遮断器は、零相変流器に巻き回されたテスト巻線に、テストスイッチが押下されたときに漏電動作テストのための模擬漏電電流を供給するテスト装置を備えている。
【先行技術文献】
【特許文献】
【０００３】
【特許文献１】特開２０１５−０３２４２０号公報
【発明の概要】
【発明が解決しようとする課題】
【０００４】
特許文献１に記載の漏電遮断器（開閉器）では、漏電遮断器の漏電動作（遮断動作）をテストした場合、漏電遮断器に電気的に接続された電路が遮断される。このため、動作試験により負荷を一時的に使用することができなくなる等、負荷が動作試験による影響を受けやすい、という問題があった。
【０００５】
本開示は、負荷が動作試験により受ける影響を低減することのできる開閉器、及び開閉器の試験方法を提供することを目的とする。
【課題を解決するための手段】
【０００６】
本開示の一態様に係る開閉器は、引き外し部と、処理部と、を備える。前記引き外し部は、電源と負荷とを繋ぐ電路に電気的に接続される接点を閉状態から開状態へ機械的に移行させる引き外し動作を行う。前記処理部は、前記引き外し動作を含む前記電路を遮断する遮断動作を行うトリガを受け付けると、動作試験を実行する。前記動作試験は、前記引き外し動作を除いた遮断動作の少なくとも一部の動作を試験する。
【０００７】
本開示の一態様に係る開閉器の試験方法は、引き外し部を備えた開閉器の試験方法である。前記引き外し部は、電源と負荷とを繋ぐ電路に電気的に接続される接点を閉状態から開状態へ機械的に移行させる引き外し動作を行う。この試験方法は、前記引き外し動作を含む前記電路を遮断する遮断動作を行うトリガを受け付けると、前記引き外し動作を除いた前記遮断動作の少なくとも一部の動作を試験する。
【発明の効果】
【０００８】
本開示は、負荷が動作試験により受ける影響を低減することができる、という利点がある。
【図面の簡単な説明】
【０００９】
【図１】図１Ａは、本開示の一実施形態に係る開閉器（第１開閉器）の概略構成を示す説明図である。図１Ｂは、同上の開閉器（第２開閉器）の概略構成を示す説明図である。
【図２】図２Ａは、同上の開閉器での動作試験の一例を示す説明図である。図２Ｂは、同上の開閉器での動作試験の他の一例を示す説明図である。図２Ｃは、同上の開閉器での遮断処理を示す説明図である。
【図３】図３は、同上の開閉器が用いられる分電盤の概略構成を示す説明図である。
【図４】図４は、同上の開閉器の動作を説明するためのフローチャートである。
【図５】図５Ａは、本開示の一実施形態の第１変形例に係る開閉器（第１開閉器）の概略構成を示す説明図である。図５Ｂは、同上の開閉器（第２開閉器）の概略構成を示す説明図である。
【図６】図６Ａは、本開示の一実施形態の第２変形例に係る開閉器（第１開閉器）の概略構成を示す説明図である。図６Ｂは、同上の開閉器（第２開閉器）の概略構成を示す説明図である。
【図７】図７は、本開示の一実施形態の第３変形例に係る開閉器が用いられる分電盤の概略構成を示す説明図である。
【発明を実施するための形態】
【００１０】
（１）概要
本実施形態の開閉器２は、図１Ａ〜図３に示すように、電源Ｐ１と負荷Ｂ１とを繋ぐ電路Ｌ１を遮断する機能を有している。本開示でいう「電源」は、系統電源（商用電源）であるが、例えば太陽光発電装置又は蓄電池などの分散型電源であってもよい。本実施形態では、開閉器２は、分電盤１に設けられる主幹ブレーカである。開閉器２は、図１Ａ及び図１Ｂに示すように、引き外し部２４と、処理部２２と、を備えている。
【００１１】
引き外し部２４は、電源と負荷Ｂ１とを繋ぐ電路Ｌ１に電気的に接続される接点Ｃ１を、閉状態から開状態へ機械的に移行させる引き外し動作を行う。引き外し動作は、開閉器２に備え付けのハンドルを操作した場合、及び電路Ｌ１が正常状態とは異なる異常状態となった場合に行われ得る。本実施形態では、異常状態は、漏電が発生した状態と、中性線Ｌ１３が欠相した状態と、を含み得る。前者の状態は、例えば電路Ｌ１に電気的に接続されている負荷Ｂ１が故障若しくは短絡した場合、又は絶縁体が劣化した場合などに生じ得る。後者の状態は、分電盤１への配電方式が単相三線式であって、例えば中性線Ｌ１３が劣化により断線した場合、又は中性線Ｌ１３の結線が不良であった場合などに生じ得る。このような異常状態が発生した場合に、引き外し部２４により引き外し動作が行われることで、電路Ｌ１が遮断され、電路Ｌ１に電気的に接続された負荷Ｂ１が保護される。
【００１２】
処理部２２は、引き外し動作を含む電路Ｌ１を遮断する遮断動作を行うトリガを受け付けると、動作試験を実行する。本開示でいう「トリガ」は、開閉器２に備え付けの試験用釦２０が作業者により押されること、及びイベントの発生を含む。本開示でいう「イベント」は、例えばスマートフォン等の情報端末６１（言い換えれば、開閉器２とは異なる外部システム６）から送信される、動作試験の実行指令を含む試験信号を受信することを含み得る。試験信号の送信処理は、例えば情報端末６１に専用のアプリケーションをインストールすることにより、実行可能となる。
【００１３】
動作試験は、引き外し動作を除いた遮断動作の少なくとも一部の動作を試験する。具体的には、上記のように電路Ｌ１が異常状態になった場合、図２Ｃに示すように、処理部２２は、駆動回路２３（後述する）を動作させる。これにより、引き外し部２４による引き外し動作が行われ、電路Ｌ１が遮断される。一方、本実施形態では、処理部２２は、上記のようにトリガを受け付けた場合（つまり、動作試験を実行する場合）、図２Ａ及び図２Ｂに示すように、少なくとも引き外し部２４による引き外し動作を行わせない。
【００１４】
上述のように、本実施形態では、少なくとも引き外し部２４による引き外し動作を除いて、動作試験が実行される。このため、本実施形態では、動作試験が実行されても、接点Ｃ１が開かずに電路Ｌ１が遮断されず、電源Ｐ１から負荷Ｂ１への電力供給を続けることが可能である。したがって、本実施形態では、負荷Ｂ１が動作試験により受ける影響を低減することができる、という利点がある。
【００１５】
（２）詳細
以下、本実施形態の開閉器２について図１Ａ〜図３を用いて詳細に説明する。以下の説明では、特に断りがない限り、図３の上下左右を分電盤１の上下左右と規定する。
【００１６】
（２．１）分電盤
まず、分電盤１について図３を用いて説明する。分電盤１は、図３に示すように、開閉器（主幹ブレーカ）２と、複数の分岐ブレーカ３と、計測アダプタ４と、検知部５と、これらを収容するキャビネット１０と、を備えている。本実施形態では、分電盤１は、一例として戸建住宅に設置される場合を例示するが、この例に限らない。つまり、分電盤１は、設置可能な施設であれば、例えば集合住宅の各住戸、事務所、店舗、工場、及び病院等の施設に設置されてもよい。
【００１７】
開閉器２は、キャビネット１０の内部に配置されている。開閉器２は、一次側端子２０１と、二次側端子２０２とを備えている。本実施形態の分電盤１では配電方式として単相三線式を想定しているので、開閉器２の一次側端子２０１には、電源Ｐ１（系統電源（商用電源））の単相三線式の引き込み線が電気的に接続される。また、開閉器２の二次側端子２０２には、第１電圧極（Ｌ１相）の導電バー、第２電圧極（Ｌ１２相）の導電バー、及び中性極（Ｎ相）の導電バーが接続されている。
【００１８】
複数の分岐ブレーカ３は、中性極の導電バーの上側と下側とに分かれて、それぞれ複数個ずつ左右方向に並ぶように配置されている。各分岐ブレーカ３は、一対の一次側端子と、一対の二次側端子とを備えている。分岐ブレーカ３には１００Ｖ用と２００Ｖ用がある。１００Ｖ用の分岐ブレーカ３が備える一対の一次側端子は、第１電圧極の導電バー及び第２電圧極の導電バーのうちの一方と、中性極の導電バーとにそれぞれ電気的に接続される。２００Ｖ用の分岐ブレーカ３が備える一対の一次側端子は、第１電圧極の導電バーと、第２電圧極の導電バーとにそれぞれ電気的に接続される。また、分岐ブレーカ３の二次側端子には、対応する配線が電気的に接続される。各分岐ブレーカ３の二次側端子に接続された配線には、例えば照明器具や空調機器、テレビ受像器、給湯設備等の機器、又は壁スイッチ等の配線器具が負荷Ｂ１として１つ以上接続される。
【００１９】
検知部５は、複数の分岐ブレーカ３の各々に接続された負荷Ｂ１に流れる電流を検知するように構成されている。検知部５は、例えば、基板と、複数のコイル５１と、を有している。基板は、左右方向に長い板状である。基板には、複数の孔が形成されている。複数の孔には、導電バーから延びて分岐ブレーカ３の一次側端子に接続される端子がそれぞれ挿入される。コイル５１は、例えばロゴスキコイルであり、基板の孔の周りに形成されている。本実施形態では、検知部５は、複数のコイル５１の各々に誘起される電流を計測することにより、複数の分岐ブレーカ３の各々に接続された負荷Ｂ１を流れる電流を検知する。
【００２０】
計測アダプタ４は、キャビネット１０の内部に配置されている。計測アダプタ４は、分電盤１内の開閉器２及び分岐ブレーカ３の少なくとも一方を通過する電力を計測する計測機能、及びキャビネット１０の外部に配置された機器と通信する通信機能を有している。
【００２１】
より詳しくは、本実施形態の計測アダプタ４は、開閉器２に流れる電流を計測する主幹検知部及び検知部５と、電気的に接続されている。ここに、主幹検知部は、例えばカレントトランス（ＣＴ）からなる電流センサを備えている。そして、計測アダプタ４は、検知部５及び主幹検知部が計測した電流の値のそれぞれを電力値に変換する機能（計測機能）を有している。
【００２２】
また、計測アダプタ４は、ＨＥＭＳ（Home Energy Management System）に対応する機器（以下、ＨＥＭＳ対応機器という）の制御を行うように構成されたコントローラとの間で通信する機能（通信機能）を有している。コントローラは、キャビネット１０の外部に配置された機器である。ここに、ＨＥＭＳ対応機器は、例えばスマートメータ、太陽光発電装置、蓄電装置、燃料電池、電気自動車、エアコン、照明器具、給湯装置、冷蔵庫、又はテレビ受像機等を含む。なお、ＨＥＭＳ対応機器は、これらの機器に限定されない。
【００２３】
さらに、計測アダプタ４は、例えばスマートフォン等の情報端末６１（つまり、開閉器２とは異なる外部システム６）との間で通信する機能（通信機能）を有している。情報端末６１は、スマートフォンの他に、例えばデスクトップ型又はラップトップ型のパーソナルコンピュータ、タブレット端末、又はスマートスピーカなどを含み得る。
【００２４】
計測アダプタ４とコントローラ（又は情報端末６１）との間の通信方式は、例えば９２０ＭＨｚ帯の特定小電力無線局（免許を要しない無線局）、Ｗｉ−Ｆｉ（登録商標）、Ｂｌｕｅｔｏｏｔｈ（登録商標）等の通信規格に準拠した、電波を媒体とした無線通信であってもよい。また、計測アダプタ４とコントローラ（又は情報端末６１）との間の通信方式は、有線ＬＡＮ（Local Area Network）等の通信規格に準拠した有線通信であってもよい。また、計測アダプタ４とコントローラとの間の通信における通信プロトコルは、例えばＥｔｈｅｒｎｅｔ（登録商標）、ＥＣＨＯＮＥＴ  Ｌｉｔｅ（登録商標）等を用いてもよい。本実施形態では、計測アダプタ４と情報端末６１との間の通信方式は、例えばインターネット等のネットワークＮ１を介した無線通信である。
【００２５】
本実施形態の分電盤１では、計測アダプタ４は、検知部５が計測した複数の負荷Ｂ１の各々の電流値を検知部５から受け取る。さらに、計測アダプタ４は、主幹検知部が計測した電流値を主幹検知部から受け取る。計測アダプタ４は、検知部５及び主幹検知部が計測した電流値のそれぞれを電力値（瞬時電力値）に変換する。計測アダプタ４は、収集した瞬時電力のデータを所定時間に亘って積算した電力量のデータを演算する機能を有している。したがって、計測アダプタ４と通信するコントローラは、複数の負荷Ｂ１の各々での瞬時電力や電力量に基づいてＨＥＭＳ対応機器を制御することができる。
【００２６】
また、計測アダプタ４は、太陽光発電装置、蓄電装置、及び電気自動車に電気的に接続される電力変換装置（パワーコンディショナ）のうちの少なくとも１つとの間で通信する機能（通信機能）を有している。なお、電力変換装置は、分電盤１から電気自動車への単方向充電を行うための電力変換の他、双方向に電力変換を行うことで電気自動車の蓄電池の充電と放電との両方に用いられる構成であってもよい。計測アダプタ４と太陽光発電装置、蓄電装置、及び電力変換装置との間の通信方式は、例えばＲＳ−４８５等の通信規格に準拠した有線通信である。
【００２７】
（２．２）開閉器
次に、開閉器２について図１Ａ及び図１Ｂを用いて説明する。開閉器２は、図１Ａ及び図１Ｂに示すように、試験用釦２０（図３参照）と、伝達回路２１と、処理部２２と、駆動回路２３と、引き外し部２４と、通信部２５と、通知部２５１と、電源回路２６と、を備えている。また、開閉器２は、処理部２２と駆動回路２３との間の電路を開閉するスイッチＳＷ０を備えている。スイッチＳＷ０は、ａ接点（常開接点）であって、例えばサイリスタ等の半導体素子である。
【００２８】
開閉器２は、漏電が発生すると電路Ｌ１を遮断させる機能（第１機能）を有する場合、図１Ａに示すように、零相変流器（センサ）２７と、スイッチＳＷ１と、抵抗器Ｒ０と、をさらに備えている。零相変流器２７は、電路Ｌ１の状態を監視するセンサ７に相当する。また、開閉器２は、中性線Ｌ１３の欠相が発生すると電路Ｌ１を遮断させる機能（第２機能）を有する場合、図１Ｂに示すように、リード線２８と、分圧回路２９と、をさらに備えている。リード線２８及び分圧回路２９は、電路Ｌ１の状態を監視するセンサ７に相当する。
【００２９】
以下の説明では、図１Ａに示す開閉器２と図１Ｂに示す開閉器２とを区別する場合、第１機能を有する開閉器２を「第１開閉器２Ａ」、第２機能を有する開閉器２を「第２開閉器２Ｂ」という。また、以下の説明では、第１開閉器２Ａにおいて処理部２２が出力する擬似信号Ｓ１を「第１擬似信号Ｓ１１」、第２開閉器２Ｂにおいて処理部２２が出力する擬似信号Ｓ１を「第２擬似信号Ｓ１２」という。
【００３０】
伝達回路２１は、アナログ回路（Analog Front End）であって、アンプと、フィルタと、Ａ／Ｄコンバータと、を有している。アンプは、伝達回路２１に入力されたアナログ信号（電圧信号）を増幅する。フィルタは、伝達回路２１に入力されたアナログ信号に含まれるノイズ成分を除去する。Ａ／Ｄコンバータは、伝達回路２１に入力されたアナログ信号をディジタル信号に変換し、変換したディジタル信号を処理部２２へ出力する。
【００３１】
伝達回路２１には、第１開閉器２Ａであれば、零相変流器２７の出力するアナログ信号が入力される。また、伝達回路２１には、第２開閉器２Ｂであれば、スイッチＳＷ２（後述する）を介してアナログ信号が入力される。第１開閉器２Ａ及び第２開閉器２Ｂのいずれにおいても、アナログ信号は、電路Ｌ１の状態（擬似的な状態を含む）に応じて変化する状態信号である。つまり、伝達回路２１は、状態信号を、処理部２２で処理可能な信号（ここでは、ディジタル信号）に変換して処理部２２に出力する。
【００３２】
処理部２２は、プロセッサ及びメモリを有するコンピュータシステムを有している。そして、プロセッサが適宜のプログラムを実行することにより、コンピュータシステムが処理部２２として機能する。プログラムは、メモリに予め記録されていてもよいし、インターネット等の電気通信回線を通じて、又はメモリカード等の非一時的な記録媒体に記録されて提供されてもよい。
【００３３】
処理部２２は、電路Ｌ１の状態が異常状態となった場合に引き外し部２４に引き外し動作を行わせる遮断処理を実行する機能を有している。また、処理部２２は、試験用釦２０が押された場合、又はイベントが発生した場合に、動作試験を実行する機能を有している。処理部２２は、遮断処理及び動作試験のいずれを実行する場合においても、伝達回路２１の出力するディジタル信号を監視している。
【００３４】
処理部２２は、伝達回路２１の出力するディジタル信号の信号値（電圧値）が閾値を上回ること（以下、「第１条件」という）、及びトリガを受け付けたこと（以下、「第２条件という」）を満たすか否かを監視している。そして、処理部２２は、第１条件のみを満たす場合、遮断処理を実行する。また、処理部２２は、第２条件を満たす場合、動作試験を実行する。つまり、処理部２２は、試験用釦２０が押された場合、又はイベントが発生した場合に、動作試験を実行する。
【００３５】
遮断処理では、処理部２２は、スイッチＳＷ０をオフからオンに切り替えることにより、駆動回路２３を動作させる。そして、駆動回路２３が動作することにより、引き外し部２４が駆動し、引き外し動作が実行される。遮断処理については、後述する「（３．１）遮断処理」にて詳細に説明する。
【００３６】
処理部２２は、試験用釦２０が押された場合、第１条件を満たしたことを判定した後に、動作試験を実行する。また、処理部２２は、イベントが発生した場合、擬似信号Ｓ１を出力することにより、遮断動作が行われる状態を擬似的に発生させる。具体的には、処理部２２は、擬似信号Ｓ１を出力することにより、伝達回路２１から出力されるディジタル信号の信号値が閾値を上回るようなアナログ信号を、伝達回路２１に入力させる。これにより、伝達回路２１の出力するディジタル信号の信号値が閾値を上回るため、処理部２２は、第１条件を満たしたと判定し、動作試験を実行する。つまり、処理部２２は、トリガとしてのイベントの発生を受け付けると、擬似信号Ｓ１を出力することにより、動作試験を実行する。動作試験においては、処理部２２は、少なくとも引き外し部２４による引き外し動作を行わせない。動作試験については、後述する「（３．２）動作試験」にて詳細に説明する。
【００３７】
本実施形態では、処理部２２は、タイマー２２１を有している。処理部２２は、タイマー２２１により計時された時刻が、例えば作業者により予め設定された所定の時刻になると、動作試験を実行する。つまり、本実施形態では、イベントは、タイマー２２１が所定の時刻を計時することを含んでいる。
【００３８】
本実施形態では、処理部２２は、動作試験において、伝達回路２１の出力するディジタル信号の信号値（電圧値）を監視している。言い換えれば、処理部２２は、動作試験において、伝達回路２１の出力を監視している。また、本実施形態では、処理部２２は、動作試験において、伝達回路２１に入力されるアナログ信号（つまり、センサ７の出力信号）の信号値（電圧値）を監視している。言い換えれば、処理部２２は、動作試験において、センサ７の出力を監視している。
【００３９】
駆動回路２３は、コイルを含む電磁石装置を有している。駆動回路２３は、スイッチＳＷ０がオフからオンに切り替わった際に、コイルに電流が流れるように構成されている。そして、駆動回路２３は、遮断処理においては、コイルに電流が流れることで電磁石装置が発生する吸引力により、引き外し部２４のラッチ部材（後述する）を動かすように構成されている。つまり、駆動回路２３は、処理部２２に制御されることで、引き外し部２４を駆動する。
【００４０】
一方、駆動回路２３は、動作試験においては、コイルに電流が流れることで電磁石装置が発生する吸引力により、引き外し部２４のラッチ部材以外の部材を動かす、又は電磁石装置が発生する吸引力がラッチ部材に及ばないように構成されている。つまり、駆動回路２３は、動作試験においては、引き外し部２４を動作させないように構成されている。
【００４１】
引き外し部２４は、接点Ｃ１を開閉する開閉機構と、接点Ｃ１が閉状態を維持するように開閉機構を機械的に制御するラッチ部材と、を有している。開閉機構は、接点Ｃ１が閉状態から開状態へ向かう向きに、接点Ｃ１を付勢している。引き外し部２４は、駆動回路２３によりラッチ部材を動かされ、ラッチ部材による開閉機構のラッチ状態を解除されると、開閉機構により接点Ｃ１が閉状態から開状態へと切り替えられ、電路Ｌ１を遮断する。また、引き外し部２４は、作業者が開閉器２に備え付けのハンドルを操作した場合にも、ラッチ部材を動かされ、開閉機構により接点Ｃ１が閉状態から開状態へと切り替えられて電路Ｌ１を遮断する。なお、接点Ｃ１が開状態にある場合に、作業者が開閉器２に備え付けのハンドルを操作（上記の操作とは逆の操作）することで、開閉機構は元の状態（つまり、ラッチ部材により接点Ｃ１が閉状態を維持するようにラッチされる状態）へ復帰する。
【００４２】
通信部２５は、計測アダプタ４と通信する機能を有している。通信部２５と計測アダプタ４との通信方式は、例えば有線ＬＡＮ（Local Area Network）等の通信規格に準拠した有線通信である。通信部２５は、計測アダプタ４を中継器として、情報端末６１（外部システム６）から送信される試験信号を受信する。また、通信部２５は、計測アダプタ４と通信することにより、計測アダプタ４が有する情報（例えば、電力値など）を取得する。また、通信部２５は、計測アダプタ４を中継器としてコントローラと通信することにより、コントローラが有する情報（例えば、ＨＥＭＳ対応機器の使用状況など）を取得する。
【００４３】
通知部２５１は、処理部２２での動作試験の検知結果を通知する。動作試験の検知結果は、例えば駆動回路２３の動作の良否、伝達回路２１の出力の良否、又はセンサ７の出力の良否などを含み得る。一例として、通知部２５１は、計測アダプタ４を中継器として情報端末６１と通信することにより、動作試験の検知結果を含む通知信号を情報端末６１へ送信する。その他、通知部２５１は、発光素子による発光、又はスピーカによる音声の出力などにより、開閉器２のある場所に赴いた作業者に対して、動作試験の検知結果を通知してもよい。
【００４４】
電源回路２６は、伝達回路２１、処理部２２、駆動回路２３、通信部２５、及び通知部２５１に対して動作電力を供給する。電源回路２６は、例えばＡＣ／ＤＣコンバータ等の適宜の回路により、開閉器２に電気的に接続されている引き込み線を介して電源Ｐ１から供給される電力を所定の電力に変換することで、動作電力を生成する。
【００４５】
第１開閉器２Ａでは、零相変流器２７が電路Ｌ１に設けられている。本実施形態では、第１電圧極に電気的に接続される第１電圧線Ｌ１１、第２電圧極に電気的に接続される第２電圧線Ｌ１２、及び中性極に電気的に接続される中性線Ｌ１３のうち、第２電圧線Ｌ１２及び中性線Ｌ１３が零相変流器２７を貫通している。また、処理部２２に電気的に接続されている電線Ｌ４も零相変流器２７を貫通している。電線Ｌ４には、処理部２２から出力される第１擬似信号Ｓ１１（電流信号）が流れる。零相変流器２７に巻かれた二次巻線の両端は、伝達回路２１の一対の入力端に電気的に接続されている。したがって、零相変流器２７の二次巻線に誘導された電圧が、アナログ信号として伝達回路２１に入力される。
【００４６】
また、第１開閉器２Ａでは、第２電圧線Ｌ１２と中性線Ｌ１３とが、スイッチＳＷ１及び抵抗器Ｒ０の直列回路を介して電気的に接続されている。スイッチＳＷ１は、ａ接点（常開接点）であって、作業者が試験用釦２０を押すことによりオフからオンへと切り替わるように構成されている。
【００４７】
第２開閉器２Ｂでは、中性線Ｌ１３に電気的に接続されたリード線２８の一端が、伝達回路２１の一対の入力端のうちの第１端に電気的に接続されている。また、第１電圧線Ｌ１１と第２電圧線Ｌ１２との間に、抵抗器Ｒ１，Ｒ２の直列回路からなる分圧回路２９が電気的に接続されている。抵抗器Ｒ１の抵抗値と、抵抗器Ｒ２の抵抗値とは、同じである。抵抗器Ｒ１，Ｒ２の接続点は、スイッチＳＷ２を介して伝達回路２１の一対の入力端のうちの第２端に電気的に接続されている。
【００４８】
スイッチＳＷ２は、ｃ接点であって、抵抗器Ｒ１，Ｒ２の接続点と伝達回路２１の入力端（第２端）とを繋ぐ第１状態と、処理部２２に電気的に接続された電線Ｌ５と伝達回路２１の入力端（第２端）とを繋ぐ第２状態と、をとり得る。スイッチＳＷ２は、電路Ｌ１が正常状態にある場合、第１状態である。また、スイッチＳＷ２は、試験用釦２０を押された場合、又は処理部２２が第２擬似信号Ｓ１２を出力した場合、処理部２２に制御されることにより、第１状態から第２状態に切り替わる。
【００４９】
（３）動作
以下、本実施形態の開閉器２の動作について説明する。本実施形態では、上述のように開閉器２は第１開閉器２Ａ又は第２開閉器２Ｂであるので、以下では第１開閉器２Ａ及び第２開閉器２Ｂの各々の動作について説明する。
【００５０】
（３．１）遮断処理
まず、第１開閉器２Ａにおける処理部２２の遮断処理について図１Ａを用いて説明する。伝達回路２１の一対の入力端には、零相変流器２７の二次巻線の誘導電圧が入力される。ここで、電路Ｌ１に漏電が発生していない状態では、零相変流器２７を貫通する２本の電線（ここでは、第２電圧線Ｌ１２及び中性線Ｌ１３）を流れる電流に差が生じないため、零相変流器２７の二次巻線には誘導電圧が発生しない。したがって、電路Ｌ１に漏電が発生していない状態では、処理部２２には閾値を上回る信号値（電圧値）のディジタル信号が入力されないため、処理部２２は遮断処理を実行しない。
【００５１】
一方、電路Ｌ１の一部にて漏電が発生すると、零相変流器２７を貫通する２本の電線を流れる電流に差が生じる。この電流の差分に応じて、零相変流器２７の二次巻線に誘導電圧が発生し、誘導電圧がアナログ信号として伝達回路２１に入力される。伝達回路２１に入力されたアナログ信号は、伝達回路２１にて処理された後にディジタル信号に変換され、変換されたディジタル信号が処理部２２に入力される。
【００５２】
処理部２２は、入力されたディジタル信号の信号値（電圧値）が閾値を上回る（第１条件を満たす）と、トリガを受け付けているか否か（第２条件を満たすか否か）を判定する。ここでは、処理部２２は、トリガを受け付けていない。したがって、処理部２２は、第１条件を満たすが、第２条件を満たさないので、遮断処理を実行する。つまり、処理部２２は、スイッチＳＷ０をオフからオンに切り替えることにより、駆動回路２３を動作させる。そして、駆動回路２３が動作することにより、引き外し部２４が駆動し、引き外し動作が実行される。このようにして、第１開閉器２Ａでは、電路Ｌ１にて漏電が発生すると、引き外し部２４により引き外し動作が実行されることで、電路Ｌ１が遮断される。
【００５３】
次に、第２開閉器２Ｂにおける処理部２２の遮断処理について図１Ｂを用いて説明する。伝達回路２１の一対の入力端には、抵抗器Ｒ１，Ｒ２の接続点の電位（つまり、第１電圧極と第２電圧極との中間電位）と、中性線Ｌ１３の電位との差分の電圧が入力されている。ここで、中性線Ｌ１３の欠相が発生していない状態では、抵抗器Ｒ１，Ｒ２の接続点の電位と、中性線Ｌ１３の電位との差分の電圧（以下、「差分電圧」という）は、殆ど零である。したがって、中性線Ｌ１３の欠相が発生していない状態では、処理部２２には閾値を上回る信号値（電圧値）のディジタル信号が入力されないため、処理部２２は遮断処理を実行しない。
【００５４】
一方、中性線Ｌ１３の欠相が発生すると、中性線Ｌ１３の電位が不安定になることから、差分電圧が零よりも大きくなる。そして、この差分電圧がアナログ信号として伝達回路２１に入力される。伝達回路２１に入力されたアナログ信号は、伝達回路２１にて処理された後にディジタル信号に変換され、変換されたディジタル信号が処理部２２に入力される。
【００５５】
処理部２２は、入力されたディジタル信号の信号値（電圧値）が閾値を上回る（第１条件を満たす）と、トリガを受け付けているか否か（第２条件を満たすか否か）を判定する。ここでは、処理部２２は、トリガを受け付けていない。したがって、処理部２２は、第１条件を満たすが、第２条件を満たさないので、遮断処理を実行する。つまり、処理部２２は、スイッチＳＷ０をオフからオンに切り替えることにより、駆動回路２３を動作させる。そして、駆動回路２３が動作することにより、引き外し部２４が駆動し、引き外し動作が実行される。このようにして、第２開閉器２Ｂでは、中性線Ｌ１３の欠相が発生すると、引き外し部２４により引き外し動作が実行されることで、電路Ｌ１が遮断される。
【００５６】
（３．２）動作試験
まず、第１開閉器２Ａにおいて作業者が試験用釦２０を押した場合について、図１Ａを用いて説明する。作業者が試験用釦２０を押すと、直接的又は間接的に試験用釦２０に押されることにより、スイッチＳＷ１がオフからオンに切り替わる。これにより、第２電圧線Ｌ１２から分岐して抵抗器Ｒ０に電流が流れることで、零相変流器２７を貫通する２本の電線（ここでは、第２電圧線Ｌ１２及び中性線Ｌ１３）を流れる電流に差が生じ、差分に応じて零相変流器２７の二次巻線に誘導電圧が発生する。つまり、作業者が試験用釦２０を押すことで、電路Ｌ１の一部に漏電が発生した状態、言い換えれば遮断動作が行われる状態が擬似的に発生する。これにより、処理部２２には、閾値を上回る信号値（電圧値）のディジタル信号が入力される。
【００５７】
処理部２２は、入力されたディジタル信号の信号値（電圧値）が閾値を上回る（第１条件を満たす）と、トリガを受け付けているか否か（第２条件を満たすか否か）を判定する。ここでは、試験用釦２０が押されているので、トリガを受け付けている。したがって、処理部２２は、第１条件及び第２条件の両方を満たすので、動作試験を実行する。
【００５８】
次に、第２開閉器２Ｂにおいて作業者が試験用釦２０を押した場合について、図１Ｂを用いて説明する。作業者が試験用釦２０を押すと、直接的又は間接的に試験用釦２０に押されることにより、スイッチＳＷ２が第１状態から第２状態に切り替わる。そして、処理部２２は、第２状態のスイッチＳＷ２を介して第２擬似信号Ｓ１２（電圧信号）を出力することにより、伝達回路２１の一対の入力端に零よりも大きい電圧を印加する。つまり、作業者が試験用釦２０を押すことで、中性線Ｌ１３の欠相が発生した状態、言い換えれば遮断動作が行われる状態が擬似的に発生する。これにより、処理部２２には、閾値を上回る信号値（電圧値）のディジタル信号が入力される。そして、処理部２２は、上記と同様に、第１条件及び第２条件を満たすと判定し、動作試験を実行する。
【００５９】
次に、トリガとしてのイベントが発生した場合について説明する。本実施形態では、処理部２２は、通信部２５にて情報端末６１（外部システム６）からの試験信号を受信した場合、又はタイマー２２１により所定の時刻を計時した場合に、イベントが発生したと判定する。
【００６０】
まず、第１開閉器２Ａにおいてイベントが発生した場合について図１Ａを用いて説明する。イベントが発生すると、処理部２２は、第１擬似信号Ｓ１１（電流信号）を出力する。これにより、零相変流器２７を貫通する電線Ｌ４に電流が流れることで、零相変流器２７を貫通する３本の電線（ここでは、第２電圧線Ｌ１２、中性線Ｌ１３、及び電線Ｌ４）を流れる電流に差が生じ、差分に応じて零相変流器２７の二次巻線に誘導電圧が発生する。つまり、イベントが発生すると、電路Ｌ１の一部に漏電が発生した状態、言い換えれば遮断動作が行われる状態が擬似的に発生する。これにより、処理部２２には、閾値を上回る信号値（電圧値）のディジタル信号が入力される。
【００６１】
処理部２２は、入力されたディジタル信号の信号値（電圧値）が閾値を上回る（第１条件を満たす）と、トリガを受け付けているか否か（第２条件を満たすか否か）を判定する。ここでは、イベントが発生しているので、トリガを受け付けている。したがって、処理部２２は、第１条件及び第２条件の両方を満たすので、動作試験を実行する。
【００６２】
次に、第２開閉器２Ｂにおいてイベントが発生した場合について図１Ｂを用いて説明する。イベントが発生すると、処理部２２が制御することにより、スイッチＳＷ２が第１状態から第２状態に切り替わる。そして、処理部２２は、第２状態のスイッチＳＷ２を介して第２擬似信号Ｓ１２（電圧信号）を出力することにより、伝達回路２１の一対の入力端に零よりも大きい電圧を印加する。つまり、イベントが発生すると、中性線Ｌ１３の欠相が発生した状態、言い換えれば遮断動作が行われる状態が擬似的に発生する。これにより、処理部２２には、閾値を上回る信号値（電圧値）のディジタル信号が入力される。そして、処理部２２は、上記と同様に、第１条件及び第２条件を満たすと判定し、動作試験を実行する。
【００６３】
ここで、動作試験においては、処理部２２は、例えば図２Ａに示すように、引き外し部２４による引き外し動作を行わないように、駆動回路２３を動作させる。これにより、処理部２２は、動作試験により、引き外し動作を除いた遮断動作を試験する。その他、動作試験においては、処理部２２は、例えば図２Ｂに示すように、駆動回路２３を動作させる処理を行わなくてもよい。つまり、処理部２２は、駆動回路２３を動作させる処理をさらに除いて動作試験を実行してもよい。
【００６４】
具体的には、処理部２２は、動作試験において、スイッチＳＷ０の駆動信号を出力しない、又はスイッチＳＷ０が駆動しない程度に駆動信号の信号値（電流値）を小さくすることで、駆動回路２３を動作させないようにすることが可能である。また、処理部２２は、動作試験において、スイッチＳＷ０に電気的に接続されたポートとは異なるポートから信号を出力したり、スイッチＳＷ０の駆動信号とは異なるダミー信号を出力したりすることでも、駆動回路２３を動作させないようにすることが可能である。
【００６５】
つまり、開閉器２における動作試験は、図４に示すような態様で行われる。すなわち、作業者により試験用釦２０が押された場合（Ｓ１：Ｙｅｓ）、遮断動作が行われる状態が擬似的に発生することにより、開閉器２では動作試験が実行される（Ｓ２）。一方、作業者により試験用釦２０が押されていない場合であって（Ｓ１：Ｎｏ）、通信部２５が情報端末６１（外部システム６）からの試験信号を受信した場合（Ｓ３：Ｙｅｓ）、処理部２２は、擬似信号Ｓ１を出力する（Ｓ５）。同様に、作業者により試験用釦２０が押されていない場合であって（Ｓ１：Ｎｏ）、タイマー２２１が所定の時刻を計時した場合（Ｓ４：Ｙｅｓ）、処理部２２は、擬似信号Ｓ１を出力する（Ｓ５）。そして、処理部２２が擬似信号Ｓ１を出力することで、遮断動作が行われる状態が擬似的に発生することにより、開閉器２では動作試験が実行される（Ｓ２）。そして、動作試験が実行された後には、処理部２２は、通知部２５１を制御することにより、動作試験の結果を通知する（Ｓ６）。
【００６６】
上述のように、本実施形態では、試験用釦２０が押された場合、又はイベントが発生した場合に、少なくとも引き外し部２４による引き外し動作を除いて、動作試験が実行される。このため、本実施形態では、動作試験が実行されても、接点Ｃ１が開かずに電路Ｌ１が遮断されず、電源Ｐ１から負荷Ｂ１への電力供給を続けることが可能である。したがって、本実施形態では、負荷Ｂ１が動作試験により受ける影響を低減することができる、という利点がある。
【００６７】
（４）変形例
上述の実施形態は、本開示の様々な実施形態の一つに過ぎない。上述の実施形態は、本開示の目的を達成できれば、設計等に応じて種々の変更が可能である。また、開閉器２の動作試験と同様の機能は、開閉器２の試験方法、（コンピュータ）プログラム、又はプログラムを記録した非一時的記録媒体等で具現化されてもよい。
【００６８】
一態様に係る開閉器２の試験方法は、引き外し部２４を備えた開閉器２の試験方法である。引き外し部２４は、電源Ｐ１と負荷Ｂ１とを繋ぐ電路Ｌ１に電気的に接続される接点Ｃ１を閉状態から開状態へ機械的に移行させる引き外し動作を行う。この試験方法は、引き外し動作を含む電路（Ｌ１）を遮断する遮断動作を行うトリガを受け付けると、引き外し動作を除いた遮断動作の少なくとも一部の動作を試験する。
【００６９】
以下、上述の実施形態の変形例を列挙する。以下に説明する変形例は、適宜組み合わせて適用可能である。
【００７０】
（４．１）第１変形例
第１変形例に係る開閉器２αは、図５Ａ及び図５Ｂに示すように、処理部２２が、トリガを受け付けると、電源Ｐ１と負荷Ｂ１との間を、接点Ｃ１を介さないバイパス経路Ｌ２で繋いだ状態で、動作試験を実行する点で、上述の実施形態と相違する。本変形例では、処理部２２は、電源Ｐ１と負荷Ｂ１との間を、予めバイパス経路Ｌ２で繋いだ状態で、動作試験を実行する。つまり、本変形例では、処理部２２が、電源Ｐ１と負荷Ｂ１との間を電路Ｌ１で繋ぐ状態からバイパス経路Ｌ２で繋ぐ状態に切り替えているわけではない。もちろん、後述する「（４．２）第２変形例」で説明するように、処理部２２が、電源Ｐ１と負荷Ｂ１との間を電路Ｌ１で繋ぐ状態からバイパス経路Ｌ２で繋ぐ状態に切り替えてもよい。
【００７１】
本変形例では、電源Ｐ１と負荷Ｂ１との間には、予備ブレーカＤ１が開閉器２αと並列に電気的に接続されている。予備ブレーカＤ１は、例えば主幹ブレーカである。予備ブレーカＤ１の一次側端子は、開閉器２αの一次側端子２０１に電気的に接続されている。また、予備ブレーカＤ２の二次側端子は、開閉器２αの二次側端子２０２に電気的に接続されている。予備ブレーカＤ１は、例えば作業者が予備ブレーカＤ１に備え付けのハンドルを操作することにより、予備ブレーカＤ１を通る予備電路Ｌ２を導通させる導通状態と、予備電路Ｌ２を遮断させる遮断状態と、を切り替えるように構成されている。予備電路Ｌ２は、電路Ｌ１とは異なり、開閉器２αの接点Ｃ１を介さずに、電源Ｐ１と負荷Ｂ１との間を繋ぐ。つまり、予備電路Ｌ２は、接点Ｃ１を介さないバイパス経路Ｌ２である。以下、特に断りの無い限り、「予備電路」を「バイパス経路」という。本変形例では、電路Ｌ１及び予備電路（バイパス経路）Ｌ２は、同一の電源Ｐ１に電気的に接続されている。なお、予備ブレーカＤ１は、動作試験を行わない場合においては遮断状態にある。
【００７２】
以下、本変形例の開閉器２αにおける動作試験について図５Ａ及び図５Ｂを用いて説明する。まず、作業者は、予備ブレーカＤ１に備え付けのハンドルを操作することにより、予備ブレーカＤ１を遮断状態から導通状態に切り替える。これにより、電源Ｐ１と負荷Ｂ１との間は、バイパス経路Ｌ２により繋がれることになる。
【００７３】
その後、試験用釦２０が押された場合、又はイベントが発生した場合、処理部２２は、上述の実施形態と同様に、第１条件及び第２条件の両方を満たすと判定し、次に電源Ｐ１と負荷Ｂ１との間がバイパス経路Ｌ２に繋がっているか否かを判定する。一例として、処理部２２は、カレントトランス等によりバイパス経路Ｌ２を流れる電流を監視し、バイパス経路Ｌ２を流れる電流の電流値が所定の電流値を上回るか否かにより、電源Ｐ１と負荷Ｂ１との間がバイパス経路Ｌ２に繋がっているか否かを判定する。そして、電源Ｐ１と負荷Ｂ１との間がバイパス経路Ｌ２に繋がっていると判定すると、処理部２２は、動作試験を実行する。
【００７４】
一方、バイパス経路Ｌ２が繋がっていないと判定した場合、処理部２２は、動作試験を実行しない。なお、処理部２２は、例えば発光素子による発光などにより、バイパス経路Ｌ２が繋がっていない旨を報知してもよい。この態様では、予備ブレーカＤ１を操作して電源Ｐ１と負荷Ｂ１との間をバイパス経路Ｌ２で繋ぐように、作業者に促すことが可能である。
【００７５】
上述のように、本変形例では、電源Ｐ１と負荷Ｂ１との間を、接点Ｃ１を介さないバイパス経路Ｌ２で繋いだ状態で動作試験が行われる。このため、本変形例では、仮に動作試験において引き外し部２４により引き外し動作が行われてしまい、接点Ｃ１が開いて電路Ｌ１が遮断されても、バイパス経路Ｌ２を介して電源Ｐ１から負荷Ｂ１への電力供給を続けることが可能である。
【００７６】
（４．２）第２変形例
第２変形例に係る開閉器２βは、図６Ａ及び図６Ｂに示すように、予備ブレーカＤ１を用いずに動作試験を行う点で、第１変形例の開閉器２αと相違する。また、本変形例の開閉器２βは、電路Ｌ１に対して、接点Ｃ１と並列に補助接点Ｃ２が電気的に接続されている点で、第１変形例の開閉器２αと相違する。補助接点Ｃ２は、ａ接点（常開接点）であって、処理部２２からの信号を受けてオフとオンとを切り替えるように構成されている。そして、本変形例では、補助接点Ｃ２を介する経路が、接点Ｃ１を介さない経路であるバイパス経路Ｌ２に相当する点で、第１変形例の開閉器２αと相違する。
【００７７】
本変形例では、処理部２２は、第１条件及び第２条件の両方を満たすと判定すると、電源Ｐ１と負荷Ｂ１との間がバイパス経路Ｌ２に繋がっているか否かを判定せずに、補助接点Ｃ２をオフからオンに切り替える。これにより、開閉器２βの一次側端子２０１と二次側端子２０２との間は、接点Ｃ１を介する経路（電路Ｌ１）から、補助接点Ｃ２を介する経路（バイパス経路Ｌ２）に切り替わる。その後、処理部２２は、動作試験を実行する。つまり、本変形例では、処理部２２は、所定の条件（ここでは、試験用釦２０が押されたこと、又はイベントが発生したこと）を満たすと、電路Ｌ１をバイパス経路Ｌ２に切り替えて、動作試験を実行する。
【００７８】
上述のように、本変形例では、第１変形例と同様に、電源Ｐ１と負荷Ｂ１との間をバイパス経路Ｃ２で繋いだ状態で動作試験を行うことが可能である。また、本変形例では、開閉器２βに内蔵された補助接点Ｃ２を用いて電路Ｌ１とバイパス経路Ｌ２とを切り替えることができるので、動作試験を行う際に予備ブレーカＤ１を用いなくて済む、という利点がある。本変形例は、予備ブレーカＤ１を設置するスペースが無い場合に、有効である。
【００７９】
（４．３）第３変形例
第３変形例に係る開閉器２γは、図７に示すように、予備ブレーカＤ１を用いずに動作試験を行う点で、第１変形例の開閉器２αと相違する。また、本変形例の開閉器２γが用いられる分電盤１αは、連系ブレーカ３１を介してパワーコンディショナＥ１１が電気的に接続されている点で、上述の実施形態の分電盤１と相違する。
【００８０】
本変形例では、分電盤１αは、パワーコンディショナＥ１１を介して太陽電池Ｅ１２及び蓄電池Ｅ１３が電気的に接続されている点で、上述の実施形態と相違する。そして、本変形例では、パワーコンディショナＥ１１により系統連系モードから自立運転モードに切り替わった場合、以下のように経路が切り替わる。すなわち、開閉器２γを介した電源Ｐ１と負荷Ｂ１との間を繋ぐ経路から、連系ブレーカ３１を介した太陽電池Ｅ１２又は蓄電池Ｅ１３と負荷Ｂ１との間を繋ぐ経路へと切り替わる。つまり、本変形例では、連系ブレーカ３１を介した経路が、バイパス経路Ｌ２に相当する。そして、本変形例では、バイパス経路Ｌ２は、電源Ｐ１を第１電源Ｐ１として、第１電源Ｐ１とは異なる第２電源Ｐ２（太陽電池Ｅ１２又は蓄電池Ｅ１３）に電気的に接続されている。
【００８１】
本変形例では、処理部２２は、第１条件及び第２条件の両方を満たすと判定すると、パワーコンディショナＥ１１が自立運転モードであるか否かを判定することにより、電源Ｐ１と負荷Ｂ１との間がバイパス経路Ｌ２に繋がっているか否かを判定する。一例として、処理部２２は、通信部２５及びコントローラを介して、パワーコンディショナＥ１１から自立運転モードに切り替わったことを示す情報を受けた場合、電源Ｐ１と負荷Ｂ１との間がバイパス経路Ｌ２で繋がっていると判定する。そして、電源Ｐ１と負荷Ｂ１との間がバイパス経路Ｌ２で繋がっていると判定した場合、処理部２２は、動作試験を実行する。
【００８２】
上述のように、本変形例では、第１変形例と同様に、電源Ｐ１と負荷Ｂ１との間をバイパス経路Ｌ２で繋いだ状態で動作試験を行うことが可能である。また、本変形例では、パワーコンディショナＥ１１が自立運転モードであれば、バイパス経路Ｌ２が第１電源Ｐ１とは異なる第２電源Ｐ２に接続されるので、動作試験を行う際に予備ブレーカＤ１を用いなくて済む、という利点がある。本変形例は、予備ブレーカＤ１を設置するスペースが無い場合に、有効である。
【００８３】
ところで、本変形例では、処理部２２は、第１条件及び第２条件の両方を満たすと判定し、かつ、パワーコンディショナＥ１１が系統連系モードであると判定した場合、パワーコンディショナＥ１１を系統連系モードから自立運転モードに切り替えてもよい。一例として、処理部２２は、通信部２５及びコントローラを介して、パワーコンディショナＥ１１に上記の指令を与えることが可能である。つまり、本変形例では、処理部２２は、所定の条件（ここでは、試験用釦２０が押されたこと）を満たすと、パワーコンディショナＥ１１を自立運転モードに切り替えさせることで、電路Ｌ１をバイパス経路Ｌ２に切り替えて、動作試験を実行してもよい。この態様では、試験用釦２０が押された時点でのパワーコンディショナＥ１１の動作モードに依らず、動作試験を行うことが可能である。
【００８４】
（４．４）その他の変形例
本開示における開閉器２は、例えば、処理部２２等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における開閉器２としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００８５】
また、例えば処理部２２における複数の機能が、１つの筐体内に集約されていることは開閉器２に必須の構成ではない。つまり、処理部２２の構成要素は、複数の筐体に分散して設けられていてもよい。さらに、例えば処理部２２の少なくとも一部の機能は、例えば、サーバ装置及びクラウド（クラウドコンピューティング）等によって実現されてもよい。
【００８６】
上述の実施形態において、開閉器２は、通知部２５１を備えていなくてもよい。つまり、開閉器２は、動作試験の結果を通知する構成を備えていなくてもよい。また、上述の実施形態において、処理部２２は、動作試験において、伝達回路２１の出力を監視しなくてもよい。同様に、処理部２２は、動作試験において、センサ７の出力を監視しなくてもよい。
【００８７】
上述の実施形態において、処理部２２は、負荷Ｂ１を使用していない場合、又は負荷Ｂ１を使用しているが負荷Ｂ１で消費される電力が小さい場合に、イベントが発生したとして動作試験を行ってもよい。つまり、イベントは、電路Ｌ１に電気的に接続される負荷Ｂ１の状態に基づいていてもよい。また、イベントは、電路Ｌ１に電気的に接続される１以上の所定の負荷Ｂ１が使用状態から不使用状態に移行することを含んでいてもよい。
【００８８】
一例として、処理部２２は、通信部２５を介して計測アダプタ４から主幹検知部で計測された電流値に基づく電力値を取得し、取得した電力値が所定の電力値を下回る場合、イベントが発生したとして動作試験を実行してもよい。また、一例として、処理部２２は、通信部２５を介して計測アダプタ４から検知部５で計測された電流値に基づく電力値を取得し、所定の負荷Ｂ１での電力値が所定の電力値を下回る場合、動作試験を実行してもよい。その他、一例として、処理部２２は、通信部２５及びコントローラを介して、電力事業者からのＤＲ（Demand Response）を受けた場合、動作試験を実行してもよい。
【００８９】
上述の実施形態において、パワーコンディショナにより系統連系モードと自立運転モードとを切り替える構成を備えている場合、処理部２２は、停電などにより自立運転モードに切り替わった際に、イベントが発生したとして動作試験を行ってもよい。つまり、イベントは、電路Ｌ１に電気的に接続される電源の状態に基づいていてもよい。一例として、処理部２２は、通信部２５及びコントローラを介して、パワーコンディショナから自立運転モードに切り替わったことを示す情報を受けた場合、動作試験を実行してもよい。
【００９０】
上述の実施形態において、処理部２２は、施設（ここでは、戸建住宅）内に人が存在しない場合に、動作試験を実行してもよい。つまり、イベントは、開閉器２が設置される施設の状態、又は施設に属する人の状態に基づいていてもよい。一例として、施設が人の存否を検知する人センサを備えている場合、処理部２２は、通信部２５を介してコントローラから人センサの検知結果を取得することで、施設内に人が存在しないと判定して動作試験を実行してもよい。
【００９１】
上述の実施形態では、通信部２５は、計測アダプタ４との間で通信する通信機能を有しているが、これに限らず、情報端末６１（外部システム６）及びコントローラとの間で直接、無線通信により通信する通信機能を有していてもよい。
【００９２】
上述の実施形態では、開閉器２は、試験用釦２０を備えているが、試験用釦２０を備えていなくてもよい。この態様では、開閉器２は、イベントが発生した場合にのみ動作試験を行う。逆に、上述の実施形態において、開閉器２は、試験用釦２０が押された場合にのみ動作試験を行ってもよい。
【００９３】
上述の実施形態では、第１開閉器２Ａの零相変流器２７には、第２電圧線Ｌ１２及び中性線Ｌ１３が貫通しているが、第１電圧線Ｌ１１及び中性線Ｌ１３が貫通していてもよい。
【００９４】
開閉器２は、上述の実施形態及び変形例に挙げた全てのイベントの発生に対応していなくてもよい。つまり、開閉器２は、上述の全てのイベントのうち少なくとも１以上のイベントの発生により、動作試験を行う構成であればよい。例えば、所定の時刻に達した時点で動作試験を行う構成であれば、開閉器２は、通信部２５を備えていなくてもよい。
【００９５】
（まとめ）
以上述べたように、第１の態様に係る開閉器（２，２α，２β，２γ）は、引き外し部（２４）と、処理部（２２）と、を備える。引き外し部（２４）は、電源（Ｐ１）と負荷（Ｂ１）とを繋ぐ電路（Ｌ１）に電気的に接続される接点（Ｃ１）を閉状態から開状態へ機械的に移行させる引き外し動作を行う。処理部（２２）は、引き外し動作を含む電路（Ｌ１）を遮断する遮断動作を行うトリガを受け付けると、動作試験を実行する。動作試験は、引き外し動作を除いた遮断動作の少なくとも一部の動作を試験する。
【００９６】
この態様によれば、負荷（Ｂ１）が動作試験により受ける影響を低減することができる、という利点がある。
【００９７】
第２の態様に係る開閉器（２，２α，２β，２γ）は、第１の態様において、駆動回路（２３）をさらに備える。駆動回路（２３）は、処理部（２２）に制御されることで、引き外し部（２４）を駆動する。処理部（２２）は、駆動回路（２３）を動作させる処理をさらに除いて動作試験を実行する。
【００９８】
この態様によれば、動作試験に要する工程の数を低減することができる、という利点がある。
【００９９】
第３の態様に係る開閉器（２，２α，２β，２γ）は、第１又は第２の態様において、伝達回路（２１）をさらに備える。伝達回路（２１）は、電路（Ｌ１）の状態に応じて変化する状態信号を、処理部（２２）で処理可能な信号に変換して処理部（２２）へ出力する。処理部（２２）は、動作試験において、伝達回路（２１）の出力を監視する。
【０１００】
この態様によれば、動作試験に関わる回路の動作の良否を確認しやすくなる、という利点がある。
【０１０１】
第４の態様に係る開閉器（２，２α，２β，２γ）は、第１〜第３のいずれかの態様において、センサ（７）をさらに備える。センサ（７）は、電路（Ｌ１）の状態を監視する。処理部（２２）は、動作試験において、センサ（７）の出力を監視する。
【０１０２】
この態様によれば、動作試験において電路（Ｌ１）の状態を取得する動作の良否を確認しやすくなる、という利点がある。
【０１０３】
第５の態様に係る開閉器（２，２α，２β，２γ）は、第１〜第４のいずれかの態様において、通知部（２５１）をさらに備える。通知部（２５１）は、処理部（２２）での動作試験の結果を通知する。
【０１０４】
この態様によれば、通知部（２５１）による通知を受けた作業者が、動作試験の結果を把握しやすくなる、という利点がある。
【０１０５】
第６の態様に係る開閉器（２，２α，２β，２γ）では、第１〜第５のいずれかの態様において、処理部（２２）は、トリガとしてのイベントが発生すると、擬似信号（Ｓ１）を出力することにより、動作試験を実行する。擬似信号（Ｓ１）は、遮断動作が行われる状態を擬似的に発生させるための信号である。
【０１０６】
この態様によれば、動作試験に要する工数を低減することができる、という利点がある。
【０１０７】
第７の態様に係る開閉器（２）では、第６の態様において、イベントは、開閉器（２）とは異なる外部システム（６）から送信される、動作試験の実行指令を含む試験信号を受信することを含む。
【０１０８】
この態様によれば、作業者は、開閉器（２）のある場所から離れた場所において、作業者の意思により開閉器（２）の動作試験を実行することができるので、利便性が向上する、という利点がある。
【０１０９】
第８の態様に係る開閉器（２）では、第６又は第７の態様において、処理部（２２）は、タイマー（２２１）を有している。イベントは、タイマー（２２１）が所定の時刻を計時することを含む。
【０１１０】
この態様によれば、タイマー（２２１）が所定の時刻を計時すると開閉器（２）の動作試験が行われるので、作業者が自ら開閉器（２）の動作試験を行わなくて済み、利便性が向上する、という利点がある。
【０１１１】
第９の態様に係る開閉器（２）では、第６〜第８のいずれかの態様において、イベントは、電路（Ｌ１）に電気的に接続される負荷（Ｂ１）の状態に基づいている。
【０１１２】
この態様によれば、負荷（Ｂ１）の状態に応じて開閉器（２）の動作試験が行われるので、作業者が自ら開閉器（２）の動作試験を行わなくて済み、利便性が向上する、という利点がある。
【０１１３】
第１０の態様に係る開閉器（２）では、第９の態様において、イベントは、電路（Ｌ１）に電気的に接続される１以上の所定の負荷（Ｂ１）が使用状態から不使用状態に移行することである。
【０１１４】
この態様によれば、所定の負荷（Ｂ１）が不使用状態にある場合に開閉器（２）の動作試験が行われるので、動作試験により電路（Ｌ１）が遮断された場合でも、所定の負荷（Ｂ１）に与える影響が小さくて済む、という利点がある。
【０１１５】
第１１の態様に係る開閉器（２）では、第６〜第１０のいずれかの態様において、イベントは、電路（Ｌ１）に電気的に接続される電源（Ｐ１）の状態に基づいている。
【０１１６】
この態様によれば、電源（Ｐ１）の状態に応じて開閉器（２）の動作試験が行われるので、作業者が自ら開閉器（２）の動作試験を行わなくて済み、利便性が向上する、という利点がある。
【０１１７】
第１２の態様に係る開閉器（２）では、第６〜第１１のいずれかの態様において、イベントは、開閉器（２）が設置される施設の状態、又は施設に属する人の状態に基づいている。
【０１１８】
この態様によれば、施設の状態、又は施設に属する人の状態に応じて開閉器（２）の動作試験が行われるので、作業者が自ら開閉器（２）の動作試験を行わなくて済み、利便性が向上する、という利点がある。
【０１１９】
第１３の態様に係る開閉器（２α，２β，２γ）では、第１〜第１２のいずれかの態様において、処理部（２２）は、電源（Ｐ１）と負荷（Ｂ１）との間を、接点（Ｃ１）を介さないバイパス経路（Ｌ２）で繋いだ状態で、動作試験を実行する。
【０１２０】
この態様によれば、負荷（Ｂ１）が動作試験により受ける影響を低減することができる、という利点がある。
【０１２１】
第１４の態様に係る開閉器（２β）では、第１３の態様において、電路（Ｂ１）及びバイパス経路（Ｌ２）は、同一の電源（Ｐ１）に電気的に接続されている。
【０１２２】
この態様によれば、動作試験を行うために、電源（Ｐ１）と別の電源を用意しなくて済む、という利点がある。
【０１２３】
第１５の態様に係る開閉器（２γ）では、第１３の態様において、バイパス経路（Ｌ２）は、電源（Ｐ１）を第１電源（Ｐ１）として、第１電源（Ｐ１）とは異なる第２電源（Ｐ２）に電気的に接続されている。
【０１２４】
この態様によれば、動作試験を行うために、第１電源（Ｐ１）と電路（Ｌ１）とが繋がっている状態から、第１電源（Ｐ１）とバイパス経路（Ｌ２）とが繋がっている状態に切り替えなくて済む、という利点がある。
【０１２５】
第１６の態様に係る開閉器（２α，２β，２γ）では、第１３〜第１５のいずれかの態様において、処理部（２２）は、所定の条件を満たすと、電路（Ｌ１）をバイパス経路（Ｌ２）に切り替えて、動作試験を実行する。
【０１２６】
この態様によれば、作業者が電路（Ｌ１）をバイパス経路（Ｌ２）に切り替える作業を行う必要がないので、利便性が向上する、という利点がある。
【０１２７】
第１７の態様に係る開閉器（２，２α，２β，２γ）の試験方法は、引き外し部（２４）を備えた開閉器（２）の試験方法である。引き外し部（２４）は、電源（Ｐ１）と負荷（Ｂ１）とを繋ぐ電路（Ｌ１）に電気的に接続される接点（Ｃ１）を閉状態から開状態へ機械的に移行させる引き外し動作を行う。この試験方法は、引き外し動作を含む電路（Ｌ１）を遮断する遮断動作を行うトリガを受け付けると、引き外し動作を除いた遮断動作の少なくとも一部の動作を試験する。
【０１２８】
この態様によれば、負荷（Ｂ１）が動作試験により受ける影響を低減することができる、という利点がある。
【０１２９】
第２〜第１６の態様に係る構成は、開閉器（２）に必須の構成ではなく、適宜省略可能である。
【符号の説明】
【０１３０】
２，２α，２β，２γ  開閉器
２１  伝達回路
２２  処理部
２２１  タイマー
２３  駆動回路
２４  引き外し部
２５１  通知部
７  センサ
Ｂ１  負荷
Ｃ１  接点
Ｌ１  電路
Ｌ２  バイパス経路
Ｐ１  電源（第１電源）
Ｐ２  第２電源
Ｓ１  擬似信号
【図１】
2020057535.tif 000003
【図２】
2020057535.tif 000004
【図３】
2020057535.tif 000005
【図４】
2020057535.tif 000006
【図５】
2020057535.tif 000007
【図６】
2020057535.tif 000008
【図７】
2020057535.tif 000009